(57)【要約】【課題】ＷＷＷブラウザが外部から取得したＷＷＷ情報をアプリケーションからもアクセス可能とする。【解決手段】ＷＷＷブラウザ１１はＷＥＢサーバ２からＷＷＷ情報を取得し管理装置１２に渡すと共に表示して閲覧する。管理装置１２はＷＷＷブラウザ１１から渡されたＷＷＷ情報をデータベース１３に格納して管理する。アプリケーション１４は管理装置１２を介してデータベース１３に格納されたＷＷＷ情報を読み込んで処理を行う。【選択図】      図１
2004199568.tif 000002
【特許請求の範囲】
【請求項１】
ＷＷＷ情報を提供するＷＥＢサーバ，前記ＷＥＢサーバにアクセスするコンピュータおよび前記ＷＥＢサーバと前記コンピュータを結ぶネットワークを有する情報管理システムであって、
前記コンピュータは、
前記ＷＥＢサーバからＷＷＷ情報を取得し管理装置を介してデータベースに格納すると共に表示して閲覧するＷＷＷブラウザと、
前記ＷＷＷブラウザが取得したＷＷＷ情報をデータベースに格納して管理する管理装置と、
前記ＷＷＷ情報を格納するデータベースと、
前記管理装置を介して前記データベースに格納されたＷＷＷ情報を読み込んで処理を行うアプリケーションと、
を備えることを特徴とする情報管理システム。
【請求項２】
前記データベースは、
前記ＷＷＷ情報に含まれるコンテンツ本体を格納するキャッシュ域と、
前記ＷＷＷ情報に含まれるファイル情報を格納するファイル情報保存域と、
を有することを特徴とする請求項１記載の情報管理システム。
【請求項３】
前記コンピュータは、
前記ＷＷＷブラウザとは別の第２のＷＷＷブラウザを有し、
前記第２のＷＷＷブラウザは前記ＷＥＢサーバからＷＷＷ情報を取得し前記管理装置を介して前記データベースに格納すると共に表示して閲覧する、
ことを特徴とする請求項１記載の情報管理システム。
【請求項４】
前記アプリケーションが行う処理は、指定されたＷＥＢページを公開している前記ＷＥＢサーバに問い合わせを行って指定されたＷＥＢページの最終更新日時を取得し、前記管理装置を介して前記データベースに格納されている指定されたＷＥＢページの最終更新日時を読み込み、前記ＷＥＢサーバに問い合わせして取得した最終更新日時と前記データベースから読み込んだ最終更新日時とを比較し、指定されたＷＥＢページの更新有無を通知することで成る、ことを特徴とする請求項１記載の情報管理システム。
【請求項５】
知識データベースを備え、
前記アプリケーションが行う処理は、前記管理装置を介して前記データベースに格納されているＷＷＷ情報に含まれるコンテンツ本体を読み込み、読み込んだコンテンツ本体の内容から前記コンピュータの使用者が指定した情報を選別抽出して前記知識データベースに蓄積することで成る、
ことを特徴とする請求項１記載の情報管理システム。
【請求項６】
ＷＷＷ情報を提供するＷＥＢサーバ，ＷＷＷブラウザと管理装置とデータベースとアプリケーションとを有し前記ＷＥＢサーバにアクセスするコンピュータおよび前記ＷＥＢサーバと前記コンピュータを結ぶネットワークを有する情報管理システムにおける情報管理方法であって、
前記ＷＷＷブラウザは前記ＷＥＢサーバからＷＷＷ情報を取得し前記管理装置に渡すと共に表示して閲覧し、
前記管理装置は前記ＷＷＷブラウザから渡されたＷＷＷ情報を前記データベースに格納して管理し、
前記アプリケーションは前記管理装置を介して前記データベースに格納されたＷＷＷ情報を読み込んで処理を行う、
ことを特徴とする情報管理方法。
【請求項７】
前記管理装置が、
前記ＷＷＷ情報に含まれるコンテンツ本体を前記データベースのキャッシュ域に格納し、
前記ＷＷＷ情報に含まれるファイル情報を前記データベースのファイル情報保存域に格納する、
ことを特徴とする請求項６記載の情報管理方法。
【請求項８】
前記コンピュータに含まれる前記ＷＷＷブラウザとは別の第２のＷＷＷブラウザが、
前記ＷＥＢサーバからＷＷＷ情報を取得し前記管理装置を介して前記データベースに格納すると共に表示して閲覧する、
ことを特徴とする請求項６記載の情報管理方法。
【請求項９】
前記アプリケーションが、
指定されたＷＥＢページを公開している前記ＷＥＢサーバに問い合わせを行い指定されたＷＥＢページの最終更新日時を取得し、
前記管理装置を介して前記データベースに格納されている指定されたＷＥＢページの最終更新日時を読み込み、
前記ＷＥＢサーバに問い合わせして取得した最終更新日時と前記データベースから読み込んだ最終更新日時とを比較し、
指定されたＷＥＢページの更新有無を通知する、
ことを特徴とする請求項６記載の情報管理方法。
【請求項１０】
前記アプリケーションが、
前記管理装置を介して前記データベースに格納されているＷＷＷ情報に含まれるコンテンツ本体を読み込み、
読み込んだコンテンツ本体の内容から前記コンピュータの使用者が指定した情報を選別抽出して知識データベースに蓄積する、
ことを特徴とする請求項６記載の情報管理方法。
【発明の詳細な説明】
【０００１】
【発明の属する技術分野】
本発明は、情報管理システムおよび方法に関し、特にＷＥＢページの参照によって得られる情報を管理する情報管理システムおよび方法に関する。
【０００２】
【従来の技術】
従来のシステムの一例を、図５を参照して説明する。
【０００３】
図５に示す従来のシステムでは、ＷＷＷブラウザ（ワールドワイドウェブの情報（ＷＷＷ情報）を閲覧するためのプログラムの略）７１に対してＷＥＢページの要求があると、ＷＷＷブラウザ７１はＷＥＢページ（ワールドワイドウェブで公開されている文書の略）の取得要求を送信する前に、コンピュータ７内のキャッシュ７２を調べる。
【０００４】
キャッシュ７２内には以前外部へ参照した際に取得した情報が保存されており、キャッシュ７２内に参照したい情報が既に保存されている場合には、キャッシュ７２に保存されている情報を読み込み表示する（ステップ５１）。
【０００５】
キャッシュ７２に情報が保存されていない場合には、ＷＷＷブラウザ７１はネットワーク９を介して外部（例えば、ＷＥＢサーバ８）へＷＥＢページの取得要求を行い（ステップ５２）、ＨＴＭＬ（hypertext markup language）文書・情報の取得を行う（ステップ５３）。
【０００６】
ＷＷＷブラウザ７１はＨＴＭＬ文書・情報の取得（ステップ５３）が完了すると、取得した情報をキャッシュ７２へ保存する（ステップ５４）。
【０００７】
これらは、既に取得済みの情報を重複して取得しないことで、ＷＷＷブラウザ７１への表示速度を高めるための機構である。
【０００８】
一方、コンピュータ７内には、ネットワーク９を介して外部（例えば、ＷＥＢサーバ８）への問い合わせを行うアプリケーション（アプリケーションソフトウェアの略）７３がある。アプリケーション７３は、ＷＷＷブラウザ７１が管理するキャッシュ７２を参照することができない（ステップ５５）。
【０００９】
そのため、キャッシュ７２に保持されている情報であっても、アプリケーション７３は独自の方法を用いて、外部への問い合わせを行っている（ステップ５６）。
【００１０】
また、従来のシステムの一例として、特許文献１には、ＷＷＷブラウザのキャッシュデータを解析してＷＷＷブラウザがキャッシングしているＷＥＢページに関するキャッシュ情報データとブラウズ履歴データとを抽出してユーザに対して一覧表示するとともに、その一覧表示した中のいずれかのＷＥＢページが選択されたときにＷＷＷブラウザがキャッシングしているＷＥＢページを取り出し、予め定められた領域に格納する、コンピュータシステムおよびページデータ管理方法が開示されている。
【００１１】
【特許文献１】
特開平１１−２０３１８８号公報
【００１２】
【発明が解決しようとする課題】
しかしながら、上述した従来の技術では、以下のような問題点がある。
【００１３】
すなわち、従来のキャッシュは、各ＷＷＷブラウザごとに管理されており、異なるＷＷＷブラウザや別のアプリケーションからの参照が行えないということである。各ＷＷＷブラウザごとに記録されるキャッシュ情報に大きな差異はなく、ほぼ同様の情報が格納されていた。ＷＥＢページの参照は、外部ネットワークから情報を取り寄せているが、上記のように各ＷＷＷブラウザごとによってのみ管理され、利用されないまま消滅する情報もある。
【００１４】
また、特許文献１では、ＷＷＷブラウザのキャッシュデータを閲覧のために予め定められた領域に格納することはできるが、ＷＷＷブラウザのキャッシュデータを他のアプリケーションから処理のために利用するための考慮はなされていない。
【００１５】
本発明の目的は、このキャッシュをＷＷＷブラウザごとではなく共通の管理装置で管理を行い、キャッシュとして保存するだけでなく外部から取得した情報をデータベースとして保存し、ＷＥＢページの閲覧時に取得した情報を有意義に保存することが可能となる情報管理システムおよび方法を提供することにある。
【００１６】
【課題を解決するための手段】
本願第１の発明の情報管理システムは、ＷＷＷ情報を提供するＷＥＢサーバ，前記ＷＥＢサーバにアクセスするコンピュータおよび前記ＷＥＢサーバと前記コンピュータを結ぶネットワークを有する情報管理システムであって、前記コンピュータは、前記ＷＥＢサーバからＷＷＷ情報を取得し管理装置を介してデータベースに格納すると共に表示して閲覧するＷＷＷブラウザと、前記ＷＷＷブラウザが取得したＷＷＷ情報をデータベースに格納して管理する管理装置と、前記ＷＷＷ情報を格納するデータベースと、前記管理装置を介して前記データベースに格納されたＷＷＷ情報を読み込んで処理を行うアプリケーションと、を備える。
【００１７】
本願第２の発明の情報管理システムは、第１の発明において前記データベースは、前記ＷＷＷ情報に含まれるコンテンツ本体を格納するキャッシュ域と、前記ＷＷＷ情報に含まれるファイル情報を格納するファイル情報保存域と、を有する。
【００１８】
本願第３の発明の情報管理システムは、第１の発明において前記コンピュータは、前記ＷＷＷブラウザとは別の第２のＷＷＷブラウザを有し、前記第２のＷＷＷブラウザは前記ＷＥＢサーバからＷＷＷ情報を取得し前記管理装置を介して前記データベースに格納すると共に表示して閲覧する、ことを特徴とする。
【００１９】
本願第４の発明の情報管理システムは、第１の発明において前記アプリケーションが行う処理は、指定されたＷＥＢページを公開している前記ＷＥＢサーバに問い合わせを行って指定されたＷＥＢページの最終更新日時を取得し、前記管理装置を介して前記データベースに格納されている指定されたＷＥＢページの最終更新日時を読み込み、前記ＷＥＢサーバに問い合わせして取得した最終更新日時と前記データベースから読み込んだ最終更新日時とを比較し、指定されたＷＥＢページの更新有無を通知することで成る、ことを特徴とする。
【００２０】
本願第５の発明の情報管理システムは、第１の発明において知識データベースを備え、前記アプリケーションが行う処理は、前記管理装置を介して前記データベースに格納されているＷＷＷ情報に含まれるコンテンツ本体を読み込み、読み込んだコンテンツ本体の内容から前記コンピュータの使用者が指定した情報を選別抽出して前記知識データベースに蓄積することで成る、ことを特徴とする。
【００２１】
本願第６の発明の情報管理方法は、ＷＷＷ情報を提供するＷＥＢサーバ，ＷＷＷブラウザと管理装置とデータベースとアプリケーションとを有し前記ＷＥＢサーバにアクセスするコンピュータおよび前記ＷＥＢサーバと前記コンピュータを結ぶネットワークを有する情報管理システムにおける情報管理方法であって、前記ＷＷＷブラウザは前記ＷＥＢサーバからＷＷＷ情報を取得し前記管理装置に渡すと共に表示して閲覧し、前記管理装置は前記ＷＷＷブラウザから渡されたＷＷＷ情報を前記データベースに格納して管理し、前記アプリケーションは前記管理装置を介して前記データベースに格納されたＷＷＷ情報を読み込んで処理を行う、ことを特徴とする。
【００２２】
本願第７の発明の情報管理方法は、第６の発明において前記管理装置が、前記ＷＷＷ情報に含まれるコンテンツ本体を前記データベースのキャッシュ域に格納し、前記ＷＷＷ情報に含まれるファイル情報を前記データベースのファイル情報保存域に格納する、ことを特徴とする。
【００２３】
本願第８の発明の情報管理方法は、第６の発明において前記コンピュータに含まれる前記ＷＷＷブラウザとは別の第２のＷＷＷブラウザが、前記ＷＥＢサーバからＷＷＷ情報を取得し前記管理装置を介して前記データベースに格納すると共に表示して閲覧する、ことを特徴とする。
【００２４】
本願第９の発明の情報管理方法は、第６の発明において前記アプリケーションが、指定されたＷＥＢページを公開している前記ＷＥＢサーバに問い合わせを行い指定されたＷＥＢページの最終更新日時を取得し、前記管理装置を介して前記データベースに格納されている指定されたＷＥＢページの最終更新日時を読み込み、前記ＷＥＢサーバに問い合わせして取得した最終更新日時と前記データベースから読み込んだ最終更新日時とを比較し、指定されたＷＥＢページの更新有無を通知する、ことを特徴とする。
【００２５】
本願第１０の発明の情報管理方法は、第６の発明において前記アプリケーションが、前記管理装置を介して前記データベースに格納されているＷＷＷ情報に含まれるコンテンツ本体を読み込み、読み込んだコンテンツ本体の内容から前記コンピュータの使用者が指定した情報を選別抽出して知識データベースに蓄積する、ことを特徴とする。
【００２６】
【発明の実施の形態】
本発明は、従来ＷＷＷブラウザによって生成・管理されているキャッシュ情報を、別の管理装置によって管理し、ＷＷＷブラウザ以外のアプリケーションからも利用できるシステムおよび方法を提供するものである。
【００２７】
本発明の実施の形態について、図面を参照して詳細に説明する。
図１は、本発明の実施の形態の構成を示す図である。
【００２８】
図１を参照すると、本発明の実施の形態は、ＷＥＢサーバ２からＷＷＷ情報を取得して表示するコンピュータ１と、ＷＷＷ情報を提供するＷＥＢサーバ２と、コンピュータ１とＷＥＢサーバ２とを結ぶインターネットなどのネットワーク３と、を備えている。
【００２９】
コンピュータ１は、ＷＥＢサーバ２からＷＷＷ情報を取得し管理装置１２を介してデータベース１３に格納すると共に表示装置（図示せず）に表示し閲覧するためのプログラムであるＷＷＷブラウザ１１と、ＷＷＷブラウザ１１によって取得されたＷＷＷ情報をデータベース１３に格納して管理する管理装置１２と、管理装置１２に管理されＷＷＷ情報を格納するデータベース１３と、管理装置１２を介してデータベース１３に格納されたＷＷＷ情報にアクセスして処理を行うアプリケーション１４と、を含む。
【００３０】
ＷＷＷ情報は、ＷＥＢページのコンテンツ本体、コンテンツのファイル情報、あるいはその両方を含んでいる。
【００３１】
次に、本発明の実施の形態の動作について、図１を用いて詳細に説明する。
【００３２】
ＷＷＷブラウザ１１はＷＥＢページの取得要求を送信する前に、コンピュータ１内の管理装置１２を呼び出し（ステップ１１）、データベース１３の読み込みを（ステップ１２）を行う。
【００３３】
データベース１３内に情報が保存されている場合は、ＷＷＷブラウザ１１は、外部への取得要求は行わずに、管理装置１２を介して読み込んだデータベース１３の情報を表示する。
【００３４】
データベース１３内に情報が保存されていない場合は、外部へＷＥＢページの取得要求を送信し（ステップ１３）、ＷＥＢページを取得する（ステップ１４）。
【００３５】
その後、ＷＷＷブラウザ１１は取得した情報を管理装置１２へ渡し、管理装置１２はデータベース１３に保存する（ステップ１５）。
【００３６】
一方、コンピュータ１内で、ネットワークを介して外部へ問い合わせを行うアプリケーション１４がある。アプリケーション１４は、外部へ情報の問い合わせを行う前に、管理装置１２を呼び出し（ステップ１６）、ＷＷＷブラウザ１１と共通のデータベース１３の読み込みを行う。
【００３７】
データベース１３内に情報が保存されている場合は、アプリケーション１４は、管理装置１２を介して読み込んだデータベース１３の情報を利用し、処理を行う。
【００３８】
データベース１３内に情報が保存されていない場合には、アプリケーション１４は、外部への問い合わせを行う（ステップ１７）。
【００３９】
次に、管理装置１２とデータベース１３の詳細について、図２を用いて説明する。
図２は、管理装置とデータベースの詳細を示す図である。
【００４０】
図２を参照すると、管理装置１２は、上位通信部１２１と、データ管理部１２２と、を含んでいる。
【００４１】
上位通信部１２１は、上位（ＷＷＷブラウザ１１やアプリケーション１４）とのやり取りを行うインタフェース機能を有する。上位からデータベース１３にＷＷＷ情報を保存する場合には、上位から上位通信部１２１にＷＷＷ情報（コンテンツ本体、ファイル情報、あるいはその両方）およびそのキー値（例えば、ＵＲＬ(uniform resource locator)等）が渡される。上位がデータベース１３からＷＷＷ情報を読み込む場合には、上位から上位通信部１２１にキー値が渡され、上位通信部１２１から上位に検索結果のＷＷＷ情報が渡される。
【００４２】
データ管理部１２２は、管理装置１２が管理するデータベース１３の制御を行う機能を有する。データ管理部１２２は、上位から要求されたＷＷＷ情報がキャッシュ域１３１とファイル情報保存域１３２のどちらに保存されているか／保存するかも管理する。また、データ管理部１２２は、指定されたキー値でＷＷＷ情報の保存／読込を行う。
【００４３】
データベース１３は、上位通信部１２１よりデータ管理部１２２を介して渡されたデータを保存する場所で、上位通信部１２１からの指示によりデータ管理部１２２を介して指定されたキー（例えば、ＵＲＬ）でデータの保存・読込が行われる。データベース１３は、キャッシュ域１３１と、ファイル情報保存域１３２と、を含んでいる。
【００４４】
キャッシュ域１３１は、ＷＷＷブラウザ１１が取得したＷＷＷ情報（例えば、ＷＥＢページのコンテンツ本体）を保存する領域である。
【００４５】
ファイル情報保存域１３２は、ＷＷＷブラウザ１１が取得したＷＷＷ情報（例えば、ＷＥＢページのコンテンツの作成日時，最終更新日時およびファイルサイズ等のコンテンツのファイル情報）を保存する領域である。
【００４６】
管理装置１２とデータベース１３は、次のように動作する。
【００４７】
上位通信部１２１は、上位とのやり取りを行う（ステップ２１）。
【００４８】
データ管理部１２２は、上位通信部１２１を介して渡された上位からのＷＷＷ情報のうち、ＷＥＢページのコンテンツ本体をキャッシュ域１３１に、ＷＥＢページのファイル情報をファイル情報保存域１３２に、指定されたキー値で保存し管理する（ステップ２２）。
【００４９】
また、データ管理部１２２は、上位通信部１２１を介して指定されたキー値で要求されたＷＷＷ情報のうち、ＷＥＢページのコンテンツ本体をキャッシュ域１３１から読み込み、ＷＥＢページのファイル情報をファイル情報保存域１３２から読み込み（ステップ２３）、上位通信部１２１に渡す。上位通信部１２１は、要求した上位にＷＷＷ情報を渡す。
【００５０】
上述した実施の形態では、コンピュータ内にＷＷＷブラウザが１つであるが、他の実施の形態として、コンピュータ内に複数の異なるＷＷＷブラウザを有し、各ＷＷＷブラウザが管理装置を介してデータベースのキャッシュ域とファイル情報保存域に取得したＷＷＷ情報を格納するようにしてもよい。こうすることにより、各ＷＷＷブラウザでデータベースのキャッシュ域とファイル情報保存域を共有することができる。
【００５１】
また、上述した実施の形態では、アプリケーションは管理装置を介してデータベースに格納されたＷＷＷ情報にアクセスして処理を行っているが、他の実施の形態として、アプリケーションがネットワークを介して外部から取得したＷＷＷ情報を管理装置を介してデータベースに格納するようにしてもよい。
【００５２】
このようにして、ＷＷＷブラウザは本発明の管理装置を呼び出してデータベース内のキャッシュ情報・ファイル情報の書込み・読み込みを行い、ＷＷＷブラウザと同様の手順で、ＷＷＷブラウザ以外の他のアプリケーションからも同様にしてキャッシュ情報・ファイル情報の読み書きが行えるようになる。従って、ネットワークを介して外部に問い合わせを行うアプリケーションでは、キャッシュ情報・ファイル情報をＷＷＷブラウザと共有することで、ネットワーク資源の節約にも結びつけることが可能となる。
【００５３】
また、ＷＥＢページの参照は、使用者が特に意識することのない外部ネットワークへの問い合わせの１つであり、ＷＥＢページの参照により、外部から取得した情報をＷＷＷブラウザ以外の管理装置でデータベース化することで、ネットワークからの情報を常に更新し続けるデータベースとすることができる。
【００５４】
更に、キャッシュ情報・ファイル情報はＷＷＷブラウザによって常に更新されていくものであるため、この点を利用したアプリケーションを組み合わせることで、更新の手続きを意識することないデータベースを構築することも可能となる。
【００５５】
次に、本発明を利用した応用システムについて、図３を用いて説明する。本応用システムは、データベースのキャッシュ情報をＷＥＢページの更新チェックに応用したＷＥＢページ更新チェックシステムである。
図３は、ＷＥＢページ更新チェックシステムの構成を示す図である。
【００５６】
図３を参照すると、ＷＥＢページ更新チェックシステムの構成は、ＷＷＷブラウザ１１，管理装置１２，データベース１３および指定したＷＥＢページに更新があったかどうかを調べる更新チェックアプリケーション４４を含むコンピュータ４と、ＷＥＢサーバ２と、ネットワーク３と、を備えている。
【００５７】
更新チェックアプリケーション４４は、キャッシュ域１３１に保存されている指定された（例えば、ＵＲＬ等で指定された）ＷＥＢページに更新があったかどうかを、ＷＥＢページを提供する外部（例えば、ＷＥＢサーバ）に問い合わせる機能を有する。問い合わせる内容は、ＨＴＭＬ文書の最終更新日時についてである。更新チェックアプリケーション４４をユーザによって起動し、起動時にＷＥＢページを指定するようにしてもよいし、更新チェックアプリケーション４４をＷＷＷブラウザ１１の組み込み機能とし、ＷＷＷブラウザ１１のブックマークに登録されているＷＥＢページを指定ＷＥＢページとするようにしてもよい。
【００５８】
図３を参照して、ＷＥＢページ更新チェックシステムの動作について詳細に説明する。
【００５９】
先ず、通常のＷＥＢページの閲覧時の動作について説明する。
【００６０】
通常のＷＥＢページの閲覧時、ＷＷＷブラウザ１１は、ネットワーク３を介して外部（例えば、ＷＥＢサーバ２）へＨＴＭＬ文書取得要求を送信する前に、コンピュータ４内の管理装置１２を呼び出し（ステップ３１）、データベース１３のキャッシュ域１３１内に取得したい情報が保存されているかを調べる。
【００６１】
キャッシュ域１３１に情報が保存されている場合は、ＷＷＷブラウザ１１は、管理装置１２を介してデータベース１３から読み込んだＨＴＭＬ文書を表示する（ステップ３２）。
【００６２】
キャッシュ域１３１に情報が保存されていない場合、ＷＷＷブラウザ１１は、ネットワーク３を介して外部（例えば、ＷＥＢサーバ２）へＨＴＭＬ文書の取得要求を送信する（ステップ３３）。
【００６３】
ＨＴＭＬ文書の取得（ステップ３４）が行われると、ＷＷＷブラウザ１１はＨＴＭＬ文書を表示するとともに、管理装置１２を呼び出し（ステップ３１）、データベース１３のキャッシュ域１３１へ取得したＨＴＭＬ文書を、ファイル情報保存域１３２に取得したファイルの情報を、保存する（ステップ３５）。
【００６４】
続いて、ＷＥＢページの更新チェック時の動作について説明する。
【００６５】
指定したＷＥＢページに更新があったかどうかを調べる更新チェックアプリケーション４４を使用して、外部のＷＥＢページに更新があったかを調べる。
【００６６】
更新チェックアプリケーション４４は、ＨＴＭＬ文書が公開されているＷＥＢサーバ２へネットワーク３を介してＨＴＭＬ文書の情報（最終更新日時）の問い合わせを行う（ステップ３６）。
【００６７】
更新チェックアプリケーション４４は、情報を取得し（ステップ３７）、取得した情報から現在公開されているＨＴＭＬファイルの情報を得る。
【００６８】
一方、更新チェックアプリケーション４４は、管理装置１２を呼び出し（ステップ３８）、前回ＷＷＷブラウザ１１によって保存されたＨＴＭＬ文書の情報（最終更新日時）をデータベース１３のファイル情報保存域１３２より読み込み、前回取得したＨＴＭＬ文書の情報を得る。
【００６９】
データベース１３のファイル情報保存域１３２から得た情報と、外部へ問い合わせた結果（ステップ３７）の情報を比較し、前回のＷＥＢページ取得時より更新があったか、なかったかをコンピュータ４の使用者に、ウィンドウポップアップやアイコン点滅などの方法で表示し、通知する（ステップ３９）。
【００７０】
このようにして、データベースをＷＷＷブラウザとアプリケーションとで共有することにより、アプリケーションからＷＥＢページの更新の有無を使用者に通知することができる。
【００７１】
更に、本発明を利用した他の応用システムについて、図４を用いて説明する。本応用システムは、データベースのキャッシュ情報を利用した知識データベース構築システムである。
図４は、知識データベース構築システムの構成を示す図である。
【００７２】
図４を参照すると、知識データベース構築システムは、ＷＥＢページの参照を行うＷＷＷブラウザ１１，データベース１３，データベースの管理を行う管理装置１２および全文検索を行う全文検索アプリケーション５４を含むコンピュータ５と、情報を格納する知識データベース６と、ＷＥＢサーバ２と、ネットワーク３と、を備えている。
【００７３】
図４を参照して、知識データベース構築システムの動作について詳細に説明する。
【００７４】
ＷＷＷブラウザ１１は、外部へＷＥＢページの情報の取得要求を行い（ステップ４１）、ＷＥＢページの情報を外部から取得し（ステップ４２）、管理装置１２を呼び出す（ステップ４３）。
【００７５】
管理装置１２は、ＷＷＷブラウザ１１から渡されたＷＥＢページの情報をデータベース１３のキャッシュ域１３１とファイル情報保存域１３２へ常に保存する（ステップ４４）。
【００７６】
全文検索アプリケーション５４は、管理装置１２を呼び出し（ステップ４５）、データベース１３のキャッシュ域１３１の情報を読み出す（ステップ４６）。
【００７７】
全文検索アプリケーション５４は、読み出したキャッシュ情報から、指定されたコンピュータ５の使用者の業務に関連する情報を選別抽出し、知識データベース６を更新する（ステップ４７）。
【００７８】
同様の手順をたどって、各コンピュータ使用者の選別された情報が、知識データベース６へ集約され、更新格納される（ステップ４８）。
【００７９】
各コンピュータ使用者は、知識データベース６を参照する（ステップ４９）。
【００８０】
このようにして、本発明の管理装置１２を介して各コンピュータのキャッシュ情報が全文検索アプリケーション５４によって選別・整理され、共有の知識データベース６へ蓄えられる。
【００８１】
ＷＥＢページによる情報の収集は有意義であるが、取得した情報はＷＷＷブラウザによって管理されるキャッシュ領域に格納され、一定の期限で消滅する。本発明の管理装置を利用して、データベースのキャッシュ域のＨＴＭＬ文書そのものを一箇所（知識データベース）に集約することで、ＷＷＷブラウザによって取得した情報を保存しておくことが可能となる。各コンピュータに蓄えられるキャッシュ情報は、そのコンピュータ使用者の業務に関連することが多い。従って、より多くのコンピュータから情報を集めることで、それぞれのコンピュータ使用者の業務に関連する情報を一箇所に集約することが可能となる。また、明確な更新作業を行うことなく共有のデータベースを構築することができる、すなわち、「ＷＥＢページの参照」というデータベースとはまったく関連がないと思われる作業で、データベースに蓄積してある情報が常に更新されていく、という顕著な効果を生じる。
【００８２】
【発明の効果】
第１の効果は、ＷＷＷブラウザによって取得された情報を、ＷＷＷブラウザ以外のアプリケーションから読み書きすることが可能となった点である。
【００８３】
その理由は、管理装置とデータベースを設け、データベースをＷＷＷブラウザとアプリケーションからアクセスできるように管理装置で管理するようにしたからである。
【００８４】
第２の効果は、ネットワーク参照の高速化、およびネットワークトラフィックの減少に繋がることである。
【００８５】
その理由は、ＷＷＷブラウザが取得しデータベースに格納した情報をアプリケーションから参照できるようにしたからである。そのため、アプリケーションは、管理装置によって管理されるデータベースから情報を取得することで、ネットワークを介して外部へ問い合わせを行う必要がなくなった。
【００８６】
第３の効果は、ＷＷＷ情報を使用してアプリケーションで多様な処理ができることである。
【００８７】
その理由は、ＷＷＷブラウザが取得しデータベースに格納したＷＷＷ情報をアプリケーションから参照できるようにしたからである。
【図面の簡単な説明】
【図１】本発明の実施の形態の構成を示す図
【図２】管理装置とデータベースの詳細を示す図
【図３】ＷＥＢページ更新チェックシステムの構成を示す図
【図４】知識データベース構築システムの構成を示す図
【図５】従来システムの構成を示す図
【符号の説明】
１    コンピュータ
２    ＷＥＢサーバ
３    ネットワーク
４    コンピュータ
５    コンピュータ
６    知識データベース
７    コンピュータ
８    ＷＥＢサーバ
９    ネットワーク
１１    ＷＷＷブラウザ
１２    管理装置
１３    データベース
１４    アプリケーション
４４    更新チェックアプリケーション
５４    全文検索アプリケーション
７１    ＷＷＷブラウザ
７２    キャッシュ
７３    アプリケーション
１２１    上位通信部
１２２    データ管理部
１３１    キャッシュ域
１３２    ファイル情報保存域
【図１】
2004199568.tif 000003
【図２】
2004199568.tif 000004
【図３】
2004199568.tif 000005
【図４】
2004199568.tif 000006
【図５】
2004199568.tif 000007